(57)【要約】【課題】  検査室を備えた容器内に収容された薬剤物質又は化粧用物質等の試料を検査するために、検査室に蛍光管等の少なくとも１つの長い照射源と、検査室内の試料を保持する受台部材とを有する検査装置において、放射源からの放射光がその長手方向に沿って不均一になる問題を改善すること。【解決手段】  放射源（１４）と受台部材（１２）との間に機械的フィルタ（１８）を配置し、これによって、放射源から受台部材上の試料全体にわたり放射源からの光度が均一に分配される。【選択図】  図１
2007017439.tif 000002
【特許請求の範囲】
【請求項１】
検査室（１０）を備えたキャビネット（１００）に収容された薬剤物質又は化粧用物質等の試料を検査するための装置であって、該検査室（１０）が蛍光管等の少なくとも１つの長尺の照射源（１４）と、検査室（１０）内の試料を保持する少なくとも１つの受台部材（１２）とを有するものにおいて、
前記照射源（１４）と受台部材（１２）の少なくとも１つとの間に該照射源（１４）に沿って機械的フィルタ（１８）が配置され、該機械的フィルタ（１８）により該照射源（１４）から受台部材に及ぼす照射光度を均一に分配してなる試料の検査装置。
【請求項２】
前記機械的フィルタ（１８）は、スリット又は孔を有する金属の板材よりなる請求項１に記載の検査装置。
【請求項３】
前記機械的フィルタ（１８）は、前記受台部材（１２）に対して凹面状又は樋状あるいは直線状の幾何学的形状を有してなる請求項１に記載の検査装置。
【請求項４】
前記機械的フィルタ（１８）は、湾曲又は開放された台形の断面形状を有してなる請求項１に記載の検査装置。
【請求項５】
前記検査室（１０）内には、長手方向に沿うとともに互いに平行をなし、１つの照明領域を構成する複数の放射源（１４）が配置され、前記機械的フィルタ（１８）は前記照明領域に対して平行に延出した中央平坦部（２２）と該受台部材（１２）の方向に傾斜した平坦な２つの外側部（２４，２６）とよりなる請求項１に記載の検査装置。
【請求項６】
前記機械的フィルタ（１８）は、複数の互いに整合して配置された部材よりなる請求項１に記載の検査装置。
【請求項７】
前記機械的フィルタ（１８）は、金属の薄板材よりなる請求項１に記載の検査装置。
【請求項８】
前記機械的フィルタ（１８）は、湾曲又は折曲された金属の薄板材よりなる請求項１に記載の検査装置。
【請求項９】
前記機械的フィルタ（１８）は、合成樹脂材料の部片よりなる請求項１に記載の検査装置。
【請求項１０】
前記機械的フィルタ（１８）は、断面形状において直線状をなす幾何学的形状を有する請求項１に記載の検査装置。
【請求項１１】
前記機械的フィルタ（１８）は、直線状の平面を有してなる請求項１０に記載の検査装置。
【発明の詳細な説明】
【技術分野】
【０００１】
本発明は、検査室を備えた容器内に収容された薬剤物質又は化粧用物質等の試料を検査する検査装置に係り、該検査室が蛍光管等の少なくとも１つの長尺の照射源と、検査室内の試料を保持する少なくとも１つの受台部材とを有する。
【背景技術】
【０００２】
検査用容器として知らせるこの種の構成においては、薬剤物質等の試料の保存中に該試料に関する情報を作成することが必要である。このためには、温度や気候条件の他に、照明も重要である。光による影響を把握するために、試料を昼日や紫外線（ＵＶ）ランプを備えた容器内に配置することが必要である。これによって光安定性を左右する原因が見出された。
【０００３】
試料の受台部材に対して平行に光の影響を与える蛍光管などの長尺の照射管を配置した容器は、試料を再配置しなければならないという欠点がある。これは、これら試料は検査中に同じ程度の光強度ないし光度にさらされねばならないからである。この種の特に蛍光管などの長尺の照射源は対象面に対して不均一な照明を行なう特徴があり、該管の中央部分の光度が最大で両端部分が弱くなるのである。
【０００４】
公知例において、紫外線（ＵＶ）又は蛍光管などの放射源よりの光に影響を与える技術手法が多く知られている。ドイツ実用新案ＤＥ-Ｕ-１８０４１４０では、所要の放射光の分布ないし分配を得るために合成樹脂よりなるフィルタの使用が開示されている。又、放射光は、熱保護フィルタ（ドイツ特許ＤＥ-Ｂ-１９５４０９７）、ガラスフィルタ拡散パネル（ドイツ特許公開ＤＥ-Ａ-１９７１４２３４）、（ドイツ特許公開ＤＥ-Ａ-４３３０７５９）、光学フィルタ（日本特許公開ＪＰ-Ａ-０３-０７５５４２）又は反射体（ドイツ特許公開ＤＥ-Ａ-３１２７７０７）によっても影響させることがそれぞれ知られている。欧州特許公開ＥＰ-Ａ-１５２８３８８では、試料の人工的照明において所望のスペクトル及び空間的状況を得るために照明用発光ダイオードの使用が開示されている。ドイツ実用新案ＤＥ-Ｕ-２９９１９４３８では、試料に所望の性能及び熱を得るために、高反射性の反射体を介して紫外線（ＵＶ）が試料に向けられることが開示されている。
【発明の開示】
【発明が解決しようとする課題】
【０００５】
本発明は上記の事情に鑑みてなされたものであり、その目的は試料上に及ぼされる放射光が均一に分布ないし分配され、光強度ないし光度が試料を含む受台部材のベース全体にわたって均一になるようにして、検査時に試料の移動を必要としない検査装置を提供するにある。
【課題を解決するための手段及び発明の効果】
【０００６】
本発明の検査装置によれば、放射源の1つと試料を保持するベースとなる受台部材との間に機械的フィルタを配置し、これによって放射源からの不均一な光度を試料に対して均一に及ぼすように構成したものである。ここに用いられる機械的フィルタは、スリット又は孔を有する板材で構成する。又、この機械的フィルタは互いに離間状態で整合して並べられた複数の部材より構成し得る。更に又、このフィルタとして所定寸法の孔やスリットを形成した直線状の薄板材を用いることも可能である。
【０００７】
本発明に係る機械的フィルタの形状については、受台部材に対して凹面状又は樋状のものが提案される。従って、該フィルタは断面形状において、湾曲形状あるいは開放された台形形状を呈する。
【０００８】
特に、本発明の検査装置においては、検査室内に互いに平行で１つの照明領域を構成する複数の放射源が配置されるとともに、該機械的フィルタは該照明領域に対して平行な中央平坦部と、この外側にあって受台部材の方向に傾斜した２つの平坦な外側部を有する構成が提案される。
【０００９】
当該機械的フィルタは、直線状あるいは湾曲ないし折曲した形状の金属の薄板材よりなり、この板材には試料全体にわたって光度が均一に分配されるように対応する開口が形成されている。
【００１０】
このような本発明の検査装置によれば、放射源の長手方向に沿う中央部での最大の光度が減少し、これにより試料には殆どが均一化された放射光が及ぼされるので、検査中に試料を移動する必要がなく、又、ここでは複雑な光学系の機構を必要としない利点がある。
【００１１】
以下、図面を参照して本発明に係る検査装置の実施形態を説明するが、本発明は、この具体的構成に限定されるものではない。
【発明を実施するための最良の形態】
【００１２】
図１は、薬剤物質を収容したキャビネット１００の検査室１０を示し、このキャビネット１００内の受台部材１２の１つには、光安定性を検査するための被見物としての試料（サンプル）が配置されている。この検査室１０にはキャビネット１００に設けた錠止可能なドア１０２を介してアクセス可能となっている。この試料は薬剤物質あるいは化粧用物質等であり、ここに本発明の検査装置が示されている。
【００１３】
前記受台部材１２の上方には複数の照射源１４が配置され、ここに照明領域が形成されている。これら照射源１４は蛍光管よりなり、その内のいくつかは昼光及びその他の紫外線（ＵＶ）を発生させる。ここでは、種々の照射管を所望の順序で検査室１０の天井部分に設置することができる。これら照射源１４は昼光と紫外線の照射管を混在させたものでもよいし、あるいは各昼光あるいは紫外線の照射管をそれぞれ別々に同レベルのものを揃える態様のものでもよい。
【００１４】
蛍光管のような相当に長尺な照射源１４は、その長手方向に沿って不均一な照射面を呈し、その不均一照射の最大は照射源１４の中央で生じる。このことを図1において異なる長さの矢印１６で示してあり、これら矢印は照射源１４を起点とした長さで表わしてある。
【００１５】
上記の事情の改善を意図し、試料のある受台部材１２に沿って均一の支度分布を得るために、本発明では機械的フィルタ１８が照射源１４と受台部材１２との間に配置される。この機械的フィルタ１８としては、特に湾曲した孔あき板材が望ましい。板材の材質としては、金属のものが望ましい。これにより、機械的フィルタ１８が照射源１４から受台部材１２に対して照射される照射光度を均一化して分配することができる。この均一化した分布状態を表わすために、図1において機械的フィルタ１８を出た照射光の度合を同じ長さの矢印で示してある。
【００１６】
この機械的フィルタ１８の材料として金属の板材の他に合成樹脂材料も用い得、この部片により該フィルタ１８を構成し得る。
【００１７】
具体例として、この機械的フィルタ１８は、受台部材１２に対して開いた樋状の部材よりなり、照射源１４に対して平行な中央部ないし中央平坦部２２と、受台部材１２の方向に傾斜した２つの外側部２４，２６よりなり、下に向かって開放した台形の断面形状を有する。この機械的フィルタ１８の幾何学的形状として、上記折曲した形状の他に受台部材１２に対して凹面をなす湾曲した断面状のものでもよい。又、機械的フィルタ１８の板材として直線状の幾何学的形状の金属の薄板材に、所望のフィルタ効果を奏する孔又はスリットを設けたものを用いることができる。これにより、受台部材１２へ及ぼす照明を均一レベルとするフィルタ効果を発揮する。図２に示すように、例えば、中央部２２にスリット３２，３４を設け、外側部２４，２６に孔２８，３０を設け、これによって、受台部材１２上に置かれた試料に対して均一な照明を及ぼすことができる。更に、これら部分２２，２４，２６を互いに並べた状態で当該機械的フィルタ１８を構成することも可能である。
【００１８】
このように、機械的フィルタ１８の介在によって、受台部材１２上の被検物としての薬剤物質などの試料に対して所望の均一な光を照射できるので、これら試料の移動や複数な光学系を必要とすることなく所望の有効な結果を得る利点がある。
【００１９】
このように、所望の光度を得るために機械的フィルタを用いる場合に、このフィルタを複数、横に並べる構成、あるいは互いに上下に平行に配置する構成も可能である。そして、この機械的フィルタに孔あるいはスリットの態様をなす開口を設けることができる。又、フィルタの材料として複数の薄板材を互いに整合状態に配置してもよい。更に、この薄板材の代わりに他の適宜の材料で、この機械的フィルタを構成することも可能である。
【図面の簡単な説明】
【００２０】
【図１】キャビネット内の検査室の概要図である。
【図２】照射光度を調整するための図１に示す機械的フィルタの平面図である。
【図３】キャビネットの外観図である。
【符号の説明】
【００２１】
１００  キャビネット
１０  検査室
１２  受台部材
１４  照明源
１８  機械的フィルタ
２２  中央部又は中央平坦部
２４，２６  外側部
２８，３０  孔
３２，３４  スリット
【図１】
2007017439.tif 000003
【図２】
2007017439.tif 000004
【図３】
2007017439.tif 000005